(57)【要約】【課題】各種の非常時に、避難する際に必要な情報を避難者に提示することが可能な非常時対応情報提示装置を提供することを目的とする。【解決手段】非常時対応情報提示装置１１は、非常時対応情報を記憶する情報記憶部５と、周辺環境情報を検出するセンサー部４と、地域情報の外部からの受信を行う情報送受信部８と、地域情報または周辺環境情報に基づいて非常時であるか否かを判断する非常状況判断部３と、情報記憶部５に記憶された画像情報に基づいて画像を表示する表示部６と、情報記憶部５に記憶された音声情報に基づいて音声を出力する音声出力部７と、非常状況判断部３の判断結果に基づいて表示部６および音声出力部７を制御する制御部１とを備えている。非常状況判断部３が非常時であると判断した場合、制御部１は、画像を表示部６に表示させ、かつ、音声を音声出力部７に出力させるように制御する。【選択図】図１
2017016385.tif 000002
【特許請求の範囲】
【請求項１】
避難する際に必要な情報であり、かつ、画像情報および音声情報を含む非常時対応情報を記憶する情報記憶部と、
前記非常時対応情報提示装置の設置場所の周辺環境に関する情報である周辺環境情報を検出するセンサー部と、
前記非常時対応情報提示装置の設置場所が属する地域において非常時を伝える情報である地域情報の外部からの受信を行う情報送受信部と、
前記情報送受信部で受信された前記地域情報、または前記センサー部で検出された前記周辺環境情報に基づいて非常時であるか否かを判断する非常状況判断部と、
前記情報記憶部に記憶された前記画像情報に基づいて画像を表示する表示部と、
前記情報記憶部に記憶された前記音声情報に基づいて音声を出力する音声出力部と、
前記非常状況判断部の判断結果に基づいて前記表示部および前記音声出力部を制御する制御部と、
を備え、
前記非常状況判断部が非常時であると判断した場合、前記制御部は、前記画像を前記表示部に表示させ、かつ、前記音声を前記音声出力部に出力させるように制御する、非常時対応情報提示装置。
【請求項２】
前記情報送受信部は、避難者の携帯端末へ前記非常時対応情報を送信可能に構成され、
前記非常状況判断部が非常時であると判断した場合、前記制御部は、前記情報送受信部に前記非常時対応情報を前記携帯端末へ送信させるように制御する、請求項１記載の非常時対応情報提示装置。
【請求項３】
前記非常時対応情報は、避難場所または避難経路に関する情報である、請求項１または請求項２記載の非常時対応情報提示装置。
【請求項４】
外部電源から供給される電力を蓄電可能な蓄電部をさらに備え、
前記非常状況判断部が非常時であると判断した場合、前記制御部は、前記蓄電部からの電力供給に切り換える、請求項１から請求項３のいずれか１つに記載の非常時対応情報提示装置。
【請求項５】
前記センサー部は、振動センサーまたは温度センサーを有する、請求項１から請求項４のいずれか１つに記載の非常時対応情報提示装置。
【請求項６】
前記センサー部は、前記音声出力部の周辺の人を検出する人感センサーをさらに有し、
前記非常状況判断部が非常時であると判断した場合に、前記人感センサーが前記音声出力部の周辺に人を検出したとき、前記制御部は、前記音声出力部の音量を下げる、請求項５記載の非常時対応情報提示装置。
【請求項７】
前記センサー部は、前記表示部の周辺照度を検出する照度センサーをさらに有し、
前記非常状況判断部が非常時であると判断した場合、前記制御部は、前記表示部の前記周辺照度に応じて前記表示部のバックライトの明るさを制御する、請求項５または請求項６記載の非常時対応情報提示装置。
【請求項８】
前記蓄電部へ発電電力を供給する発電部をさらに備える、請求項４記載の非常時対応情報提示装置。
【発明の詳細な説明】
【技術分野】
【０００１】
本発明は、火災事故等の災害が発生した非常時において、建物内にいる人々に対し適切な対応行動を提示する非常時対応情報提示装置に関するものである。
【背景技術】
【０００２】
従来、火災事故等の災害が発生した非常時においては、建物内にいる各人が日頃の訓練および知識のみを頼りに、避難および二次災害の防止行動を的確に行う必要があった。
【０００３】
近年、人々の防災への関心は高く、各家庭において非常用持ち出し袋と飲料水の準備、および避難訓練等の災害対策が行われている。しかし、実際の非常時には火災および停電等、通常時とは全く異なる状況におかれることが想定されることから、誤った行動をとってしまい、的確な行動ができない可能性がある。また、家庭外の場所、すなわち、店舗、宿泊施設、および病院等の公共施設に人々が滞在している際は、適切な判断が一層困難であると想定される。
【０００４】
このような非常時の対策として、例えば特許文献１には、地震振動を検知し、安全な避難を助力する機能を備えたインテリア品が提案されている。
【先行技術文献】
【特許文献】
【０００５】
【特許文献１】特開平９−１５３４４号公報
【発明の概要】
【発明が解決しようとする課題】
【０００６】
しかし、特許文献１に記載のインテリア品は、照明灯または警報ブザー等によって地震を報知するに止まり、非常時における避難場所および避難経路等の避難に必要な情報は提示されない。また、特許文献１に記載のインテリア品は、地震のみの対応であり、それ以外の非常時には機能しない。
【０００７】
そこで、本発明は、各種の非常時に、避難する際に必要な情報を避難者に提示することが可能な非常時対応情報提示装置を提供することを目的とする。
【課題を解決するための手段】
【０００８】
本発明に係る非常時対応情報提示装置は、避難する際に必要な情報であり、かつ、画像情報および音声情報を含む非常時対応情報を記憶する情報記憶部と、前記非常時対応情報提示装置の設置場所の周辺環境に関する情報である周辺環境情報を検出するセンサー部と、前記非常時対応情報提示装置の設置場所が属する地域において非常時を伝える情報である地域情報の外部からの受信を行う情報送受信部と、前記情報送受信部で受信された前記地域情報、または前記センサー部で検出された前記周辺環境情報に基づいて非常時であるか否かを判断する非常状況判断部と、前記情報記憶部に記憶された前記画像情報に基づいて画像を表示する表示部と、前記情報記憶部に記憶された前記音声情報に基づいて音声を出力する音声出力部と、前記非常状況判断部の判断結果に基づいて前記表示部および前記音声出力部を制御する制御部とを備え、前記非常状況判断部が非常時であると判断した場合、前記制御部は、前記画像を前記表示部に表示させ、かつ、前記音声を前記音声出力部に出力させるように制御するものである。
【発明の効果】
【０００９】
本発明によれば、非常状況判断部が、情報送受信部で受信された地域情報、またはセンサー部で検出された周辺環境情報に基づいて非常時であると判断した場合、制御部は、情報記憶部に記憶された非常時対応情報の画像情報に基づいて画像を表示部に表示させ、かつ、情報記憶部に記憶された非常時対応情報の音声情報に基づいて音声を音声出力部に出力させるように制御する。
【００１０】
したがって、各種の非常時に、非常時対応情報提示装置の周辺にいる避難者に対して、避難する際に必要な情報である非常時対応情報を提示することができる。
【図面の簡単な説明】
【００１１】
【図１】実施の形態１に係る非常時対応情報提示装置の構成を示すブロック図である。
【図２】実施の形態１に係る非常時対応情報提示装置のハードウェア構成図である。
【図３】実施の形態１に係る非常時対応情報提示装置の動作を示すフローチャートである。
【図４】表示部に表示される非常時対応情報の画像情報を示す図である。
【図５】実施の形態１に係る非常時対応情報提示装置の動作時の概要図である。
【図６】実施の形態２に係る非常時対応情報提示装置の構成を示すブロック図である。
【図７】実施の形態２に係る非常時対応情報提示装置のハードウェア構成図である。
【発明を実施するための形態】
【００１２】
＜実施の形態１＞
本発明の実施の形態１について、図面を用いて以下に説明する。図１は、実施の形態１に係る非常時対応情報提示装置１１の構成を示すブロック図である。なお、ここで示す実施の形態は一例であり、本発明はここで示す実施形態に限定されるものではない。
【００１３】
非常時対応情報提示装置１１は、例えば、映像表示パネルを有するテレビジョン受像機またはディスプレイ装置等であり、公共施設などの建物内に設置されている。映像表示パネルとしては、例えば液晶パネル、プラズマディスプレイまたは有機ＥＬディスプレイなどが考えられるが、特に表示内容を保持するメモリー性液晶を用いることで消費電力の低減を図ることができる。また、電圧が印加されていないときにバックライトの透過率が最大となるＴＮ方式の液晶を用いることで、消費電力を抑制しつつ、非常時対応情報提示装置１１の周辺を明るく照らすことができる。
【００１４】
図１に示すように、非常時対応情報提示装置１１は、制御部１、蓄電部２、非常状況判断部３、センサー部４、情報記憶部５、表示部６、音声出力部７、および情報送受信部８を備えている。
【００１５】
制御部１は、非常時対応情報提示装置１１を構成する各構成部との間で信号の送受信を行い、受信した信号を判断し、各構成部に制御信号を送信し各構成部を制御する。
【００１６】
コンセントプラグ９は、コンセントを介して外部電源に接続され、通常時に外部電源から非常時対応情報提示装置１１へ電力を供給する。蓄電部２は、コンセントプラグ９を介して外部電源から供給される電力を蓄電し、非常時には蓄電した電力を非常時対応情報提示装置１１の各構成部へ供給する。
【００１７】
センサー部４は、例えば振動センサー、照度センサー、温度センサー、煙センサー、および人感センサー等を備え、非常時対応情報提示装置１１の設置場所の周辺環境に関する情報である周辺環境情報を検出する。ここで、振動センサーは地震を検出するためのセンサー、温度センサーおよび煙センサーは火災を検出するためのセンサーである。また、人感センサーは、音声出力部７の周辺の人を検出するセンサーであり、照度センサーは、表示部６の周辺照度を検出するセンサーである。
【００１８】
情報送受信部８は、外部からの地域情報の受信、および避難者の携帯端末への非常時対応情報の送信を行う。ここで、地域情報とは、非常時対応情報提示装置１１の設置場所が属する地域において、地震、火災、風害および水害など各種の非常時を伝える情報である。また、携帯端末とは、例えば携帯電話機またはスマートフォンである。
【００１９】
非常状況判断部３は、情報送受信部８で受信された地域情報、またはセンサー部４で検出された周辺環境情報に基づいて非常時であるか否かを判断する。制御部１は、非常状況判断部３の判断結果に基づいて、表示部６、音声出力部７および情報送受信部８を制御する。
【００２０】
情報記憶部５は、非常時対応情報提示装置１１の設置場所に適した非常時対応情報を予め記憶している。ここで、非常時対応情報とは、避難する際に必要な情報であり、避難場所または避難経路に関する情報である。より具体的には、非常時対応情報とは、例えば、避難経路、避難場所、避難方法、持ち物および連絡方法などを画像情報および音声情報で表した情報である。
【００２１】
表示部６は、情報記憶部５に記憶された非常時対応情報のうちの画像情報に基づいて画像を表示する。ここで、表示部６に表示される画像とは、文字・図・写真等の静止画または動画である。表示部６では、画像を表示する際、表示画面上の任意部分に対して光源を点灯または消灯することが可能である。音声出力部７は、情報記憶部５に記憶された非常時対応情報のうちの音声情報に基づいて音声を出力する。ここで、音声出力部７から出力される音声とは、ブザー音または音声案内である。
【００２２】
また、図１では、非常時対応情報提示装置１１は表示部６および音声出力部７を１つずつ備えているが、非常時対応情報提示装置１１は表示部６および音声出力部７を複数ずつ備えていても良く、表示部６および音声出力部７は公共施設などの建物内の複数箇所に設置されていても良い。この場合、人感センサーおよび照度センサーも複数箇所に設置される。
【００２３】
次に、非常時対応情報提示装置１１のハードウェア構成について説明する。図２は、非常時対応情報提示装置１１のハードウェア構成図である。
【００２４】
図２に示すように、非常時対応情報提示装置１１は、送受信装置２０、プロセッサー２１、メモリー２２、ディスプレイ２３、スピーカー２４、センサー２５、および蓄電池２６によって構成されている。情報送受信部８は、送受信装置２０によって実現されている。制御部１および非常状況判断部３は、ＣＰＵ（Ｃｅｎｔｒａｌ  Ｐｒｏｃｅｓｓｉｎｇ  Ｕｎｉｔ）等のプロセッサー２１が、メモリー２２に格納されたプログラムを実行することで、プロセッサー２１の機能として実現される。ただし、これらは、複数のプロセッサー２１が連携して実現されても良い。
【００２５】
情報記憶部５は、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、またはＳＤカードなどのメモリー２２によって実現されている。さらに、表示部６はディスプレイ２３、音声出力部７はスピーカー２４、センサー部４はセンサー２５、蓄電部２は蓄電池２６によって実現されている。
【００２６】
次に、図３、図４および図５を用いて、非常時対応情報提示装置１１の動作について説明する。図３は、非常時対応情報提示装置１１の動作を示すフローチャートであり、図４は、表示部６に表示される非常時対応情報の画像情報を示す図であり、図５は、実施の形態１に係る非常時対応情報提示装置の動作時の概要図である。
【００２７】
図３に示すように、通常時、非常時対応情報提示装置１１はコンセントプラグ９から電力が供給され、テレビジョン受像機またはディスプレイ装置として動作する。非常時対応情報提示装置１１の外部から非常時を伝える地域情報が情報送受信部８で受信された場合、またはセンサー部４（例えば振動センサー、温度センサーまたは煙センサー等）で検出される周辺環境情報において異常値が検出された場合（ステップＳ１においてＹＥＳ）、非常状況判断部３は、非常時対応情報提示装置１１の設置場所が非常時の状況下にあることを判断し（ステップＳ２）、制御部１へ非常信号を送信する。ここで、非常状況判断部３は、コンセントプラグ９からの電力供給が途絶えた場合に非常時対応情報提示装置１１の設置場所が非常時の状況下にあることを判断してもよい。この場合、コンセントプラグ９から供給される電力を検出するセンサーを設けることで実現することができる。
【００２８】
制御部１は、非常時対応情報提示装置１１の電力供給元をコンセントプラグ９から蓄電部２へと変更、すなわち、蓄電部２からの電力供給に切り替える（ステップＳ３）。制御部１は、情報記憶部５に記憶されている非常時対応情報のうち、画像情報に基づいて画像を表示部６に表示させる（ステップＳ４）。また、制御部１は、情報記憶部５に記憶されている非常時対応情報のうち、音声情報に基づいて音声を音声出力部７に出力させる（ステップＳ５）。ここで、非常時対応情報は、地域ごとに自治体等が配信する情報であっても良いし、各施設管理者が予め記憶させている情報であっても良い。
【００２９】
図４に示すように、表示部６には、例えば避難経路、避難場所、避難方法、持ち物および連絡方法等が表示される。これにより、避難者に対して、従来よりも一層具体的な情報を提示することができる。音声出力部７から出力される音声情報として、例えばブザー音で注意喚起を促したり、避難経路、避難場所、避難方法、持ち物および連絡方法を読み上げる音声案内を出力したりすることが挙げられる。
【００３０】
制御部１は、表示部６に表示させる画像情報の内容を調査し、表示部６の全表示範囲に対して、文字、図または写真等の静止画または動画の情報部分のみを部分発光範囲とする。光源の発光によって、表示部６は全表示範囲のうち任意の部分が点灯した状態で画像を表示する。これにより、全表示範囲を点灯する場合に比べて消費電力を低減させ、小型で安価な蓄電部２であっても、非常時対応情報提示装置１１を長時間動作させることが可能となる。
【００３１】
さらに、制御部１は、非常状況判断部３が非常時であると判断した場合に、例えば、照度センサーによって検出された表示部６の周辺照度に応じて表示部６のバックライトの明るさを制御する。より具体的には、制御部１は、表示部６の周辺が予め定められた周辺照度よりも暗い場合、表示部６のバックライト電流を下げて表示部６の画面の明るさを暗くし、表示部６の周辺が予め定められた周辺照度よりも明るい場合に、表示部６のバックライト電流を上げて表示部６の画面の明るさを明るくする。また、制御部１は、非常状況判断部３が非常時であると判断した場合に、例えば、人感センサーによって音声出力部７の周辺に避難者を検出したときに音声出力部７の音量を下げ、他方、音声出力部７の周辺に避難者を検出しないときに音声出力部７の音量を上げる。これにより、消費電力を低減して非常時対応情報提示装置１１の長時間動作が可能なことに加え、避難者に対する効果的な情報提示を行うことが可能となる。
【００３２】
次に、図５に示すように、制御部１は、情報送受信部８から避難者の携帯端末（例えば、携帯電話機またはスマートフォン）へ、画像情報および音声情報を含む非常時対応情報を送信する（ステップＳ６）。情報送受信部８から避難者の携帯端末への送信は、例えば、公共施設などの建物内に滞在している人の携帯端末の電話番号およびメールアドレスなどの情報を、建物内に入る際などに情報記憶部５に記憶させるとともに、建物内から出る際に情報記憶部５から消去することで実現することができる。ここで、送信時における携帯端末との接続は、有線接続であっても良いし、無線接続であっても良い。これにより、避難者がメモ等をとる必要なく、迅速に非常時対応情報を携帯して避難することが可能となる。
【００３３】
また、制御部１は、センサー部４による検出記録、避難者による非常時対応情報提示装置１１の操作記録、情報送受信部８から避難者の携帯端末への接続記録等を情報記憶部５に記憶する。制御部１は、上記の記録を収集し照査することによって、公共施設等での避難者数を把握し、安否確認を迅速に行うことが可能となる。ここで、上記の記録を収集する際の接続は有線接続であっても良いし、無線接続であっても良い。
【００３４】
以上のように、実施の形態１に係る非常時対応情報提示装置１１では、非常状況判断部３が、情報送受信部８で受信された地域情報、またはセンサー部４で検出された周辺環境情報に基づいて非常時であると判断した場合、制御部１は、情報記憶部５に記憶された非常時対応情報の画像情報に基づいて画像を表示部６に表示させ、かつ、情報記憶部５に記憶された非常時対応情報の画像情報に基づいて音声を音声出力部７に出力させるように制御する。
【００３５】
したがって、地震、火災、風害および水害など各種の非常時に、非常時対応情報提示装置１１の周辺にいる避難者に対して、避難する際に必要な情報である非常時対応情報を提示することができる。
【００３６】
情報送受信部８は、避難者の携帯端末へ非常時対応情報を送信可能に構成され、非常状況判断部３が非常時であると判断した場合、制御部１は、情報送受信部８に非常時対応情報を携帯端末へ送信させるように制御する。
【００３７】
したがって、地震、火災、風害および水害など各種の非常時に、非常時対応情報提示装置１１の周辺に限ることなく公共施設など建物内にいる避難者に対して、避難する際に必要な情報である非常時対応情報を提示することができる。
【００３８】
非常時対応情報は、避難場所または避難経路に関する情報であるため、従来よりも一層具体的な情報を避難者に提示することができる。これにより、避難者を安全な場所に迅速に避難させることが可能となる。
【００３９】
外部電源から供給される電力を蓄電可能な蓄電部２をさらに備え、非常状況判断部３が非常時であると判断した場合、制御部１は、蓄電部２からの電力供給に切り換えるため、非常時に停電が発生した場合にも避難者に非常時対応情報を提示することができる。
【００４０】
センサー部４は、振動センサーまたは温度センサーを有するため、振動センサーによって地震の発生、または温度センサーによって火災の発生を精度良く検出することができる。
【００４１】
センサー部４は、音声出力部７の周辺の人を検出する人感センサーをさらに有し、非常状況判断部３が非常時であると判断した場合に、人感センサーが音声出力部７の周辺に人を検出したとき、制御部１は、音声出力部７の音量を下げるため、消費電力を低減して非常時対応情報提示装置１１の長時間動作が可能なことに加え、避難者に対する効果的な情報提示を行うことが可能となる。
【００４２】
センサー部４は、表示部６の周辺照度を検出する照度センサーをさらに有し、非常状況判断部３が非常時であると判断した場合、制御部１は、表示部６の周辺照度に応じて表示部６のバックライトの明るさを制御するため、消費電力を低減して非常時対応情報提示装置１１の長時間動作が可能なことに加え、避難者に対する効果的な情報提示を行うことが可能となる。
【００４３】
＜実施の形態２＞
次に、実施の形態２に係る非常時対応情報提示装置１１Ａについて説明する。図６は、実施の形態２に係る非常時対応情報提示装置１１Ａの構成を示すブロック図であり、図７は、実施の形態２に係る非常時対応情報提示装置１１Ａのハードウェア構成図である。なお、実施の形態２において、実施の形態１で説明したものと同一の構成要素については同一符号を付して説明は省略する。
【００４４】
実施の形態２では、図６に示すように、非常時対応情報提示装置１１Ａは、蓄電部２へ発電電力を供給する発電部１０をさらに備えている。図７に示すように、発電部１０は、例えば太陽光発電機または手回し発電機などの発電機２７によって実現されている。発電部１０は、蓄電部２と電気的に接続されており、発電部１０が発電を行うことで、発電電力が蓄電部２に供給される。
【００４５】
以上のように、実施の形態２に係る非常時対応情報提示装置１１Ａは、蓄電部２へ発電電力を供給する発電部１０をさらに備えるため、コンセントプラグ９を介して外部電源から非常時対応情報提示装置１１へ長期間、電力供給が行われていない場合、または非常時に蓄電電力が枯渇した場合にも非常時対応が可能である。
【００４６】
＜変形例＞
以上の説明では、制御部１および非常状況判断部３は、図２のプロセッサー２１が、メモリー２２に格納されたプログラムを実行することで実現された。しかしこれに代えて、制御部１および非常状況判断部３は、当該動作をハードウェアの電気回路で実現する信号処理回路により実現されてもよい。制御部１および非常状況判断部３を合わせた概念として、「部」という語に代えて「処理回路」という語を用いることもできる。
【００４７】
なお、本発明は、その発明の範囲内において、各実施の形態を自由に組み合わせたり、各実施の形態を適宜、変形、省略することが可能である。
【符号の説明】
【００４８】
１  制御部、２  蓄電部、３  非常状況判断部、４  センサー部、５  情報記憶部、６  表示部、７  音声出力部、８  情報送受信部、１０  発電部、１１，１１Ａ  非常時対応情報提示装置。
【図１】
2017016385.tif 000003
【図２】
2017016385.tif 000004
【図３】
2017016385.tif 000005
【図４】
2017016385.tif 000006
【図５】
2017016385.tif 000007
【図６】
2017016385.tif 000008
【図７】
2017016385.tif 000009